(57)【要約】【課題】簡便かつ平易な手段で、手洗い場や手指消毒がなされる場といった手指衛生がなされる場の前を通過した人が手指衛生を積極的に実施するようになる手指衛生励行セットを提供すること。【解決手段】本考案の手指衛生励行セット１は、手洗い場５や手指消毒がなされる場といった手指衛生場に設置され、手指衛生の実施を励行するために、手指衛生を励行するメッセージを表示するシート状の掲示媒体２と、停止を促すメッセージを表示するマット３から構成されるので、かかる手指衛生励行セット１を設置した手洗い場５や手指消毒がなされる場を通った人は、手洗いや手指消毒といった手指衛生を気にかけるようになり、かかる人に手指衛生がなされる場での停止、及び手洗いや手指消毒の励行を喚起し、手洗いや手指消毒といった手指衛生を積極的に実施させることができる。【選択図】図３
0003138542.tif 000002
【実用新案登録請求の範囲】
【請求項１】
手指衛生がなされる場に設置され、手指衛生の実施を励行するための手指衛生励行セットであって、
手指衛生を励行するメッセージを表示するシート状の掲示媒体と、
停止を促すメッセージを表示するマットと、
からなることを特徴とする手指衛生励行セット。
【請求項２】
手洗い場に設置され、
前記手指衛生を励行するメッセージが手洗いを励行するメッセージであることを特徴とする請求項１に記載の手指衛生励行セット。
【請求項３】
手指消毒がなされる場に設置され、
前記手指衛生を励行するメッセージが手指消毒を励行するメッセージであることを特徴とする請求項１に記載の手指衛生励行セット。
【請求項４】
前記掲示媒体及び／または前記マットに、蛍光処理、蓄光処理、または夜光処理を施したことを特徴とする請求項１ないし請求項３のいずれかに記載の手指衛生励行セット。
【請求項５】
前記掲示媒体に、停止を促すメッセージが表示されていることを特徴とする請求項１ないし請求項４のいずれかに記載の手指衛生励行セット。
【請求項６】
前記掲示媒体及び前記マットに表示されるメッセージが同じ意味合いであることを特徴とする請求項５に記載の手指衛生励行セット。
【考案の詳細な説明】
【技術分野】
【０００１】
本考案は、手指（しゅし）衛生励行セットに関する。更に詳しくは、病院、学校、老人ホームや、医療施設、療養施設、食品加工施設等の手洗い場や手指消毒がなされる場に設置される手指衛生励行セットに関する。
【背景技術】
【０００２】
手洗いや手指消毒といった手指衛生の実施は、感染症予防の基本かつ重要な行為である。近年、ノロウイルス感染症やサルモネラ菌や大腸菌Ｏ−１５７等による食中毒が大流行しており、手指を衛生的に管理する必要があり、これらの予防には、手洗いや手指消毒の励行が効果的である。
【０００３】
また、手指衛生を必須とする業務形態で働く人々等、例えば、病院等の医療施設や療養施設、飲食店の厨房、食品加工施設、コンビニエンスストア、スーパーマーケットのバックヤードにおいて手作業に従事する人々等は、衛生管理上、細菌が付着していない綺麗な手が要求され、完全な手洗いや、また、流水による手洗い場がないところにあっては、アルコール等の消毒剤による手指の消毒を行う必要がある。そして、このような施設で手洗いや手指の消毒といった手指衛生を励行ないし管理するために、例えば、手洗い管理を支援する装置やシステム等が提供されている（例えば、特許文献１を参照。）。
【０００４】
【特許文献１】特開２００１−２８２９３１号公報（［請求項１］、［図１］）
【考案の開示】
【考案が解決しようとする課題】
【０００５】
ところで、手洗いや手指消毒といった手指衛生は、自宅内では習慣づけて実施しやすい一方、屋外へ出てしまうと、忘れたり、面倒になったりして実施を怠ってしまうことが多く、手洗い場や手指消毒がなされる場の前を通過しても、素通りしてしまうことがほとんどであった。このような背景から、手洗い場や手指消毒がなされる場といった手指衛生がなされる場（手指衛生場）の前を通過する人に対して、手洗いや手指消毒といった手指衛生の実施を喚起できる手段の提供が望まれていた。
【０００６】
本考案は、前記の課題に鑑みてなされたものであり、簡便かつ平易な手段で、手洗い場
や手指消毒がなされる場といった手指衛生がなされる場の前を通過した人が手指衛生を積極的に実施するようになる手指衛生励行セットを提供することにある。
【課題を解決するための手段】
【０００７】
本考案の請求項１に係る手指衛生励行セットは、手指衛生がなされる場に設置され、手指衛生の実施を励行するための手指衛生励行セットであって、手指衛生を励行するメッセージを表示するシート状の掲示媒体と、停止を促すメッセージを表示するマットと、からなることを特徴とする。
【０００８】
本考案の請求項２に係る手指衛生励行セットは、前記請求項１において、手洗い場に設置され、前記手指衛生を励行するメッセージが手洗いを励行するメッセージであることを特徴とする。
【０００９】
本考案の請求項３に係る手指衛生励行セットは、前記請求項１において、手指消毒がなされる場に設置され、前記手指衛生を励行するメッセージが手指消毒を励行するメッセージであることを特徴とする。
【００１０】
本考案の請求項４に係る手指衛生励行セットは、前記請求項１ないし請求項３のいずれかにおいて、前記掲示媒体及び／または前記マットに、蛍光処理、蓄光処理、または夜光処理を施したことを特徴とする。
【００１１】
本考案の請求項５に係る手指衛生励行セットは、前記請求項１ないし請求項４のいずれかにおいて、前記掲示媒体に、停止を促すメッセージが表示されていることを特徴とする。
【００１２】
本考案の請求項６に係る手指衛生励行セットは、前記請求項５において、前記掲示媒体及び前記マットに表示されるメッセージが同じ意味合いであることを特徴とする。
【考案の効果】
【００１３】
本考案の請求項１に係る手指衛生励行セットは、手洗い場や手指消毒がなされる場といった手指衛生がなされる場（手指衛生場）に設置され、手指衛生の実施を励行するために、手指衛生を励行するメッセージを表示するシート状の掲示媒体と、停止を促すメッセージを表示するマットから構成される。よって、かかる手指衛生励行セットを設置した手指衛生場を通った人は、手洗いや手指消毒といった手指衛生を気にかけるようになり、かかる人に手指衛生場での停止、及び手指衛生の励行を喚起し、手洗いや手指消毒といった手指衛生を積極的に実施させることができる。
【００１４】
本考案の請求項２に係る手指衛生励行セットは、手洗い場に設置され、手洗いを励行するメッセージを表示するシート状の掲示媒体と、停止を促すメッセージを表示するマットからなり、手洗い場を通った人は、手洗いすることを気にかけるようになり、かかる人に手洗い場での停止、及び手洗いの励行を喚起し、手洗いを積極的に実施させることができる。
【００１５】
本考案の請求項３に係る手指衛生励行セットは、アルコール等の手指消毒液が置かれた、手指消毒がなされる場に設置され、手指消毒を励行するメッセージを表示するシート状の掲示媒体と、停止を促すメッセージを表示するマットからなり、手指消毒がなされる場を通った人は、アルコール等による手指の消毒を行うことを気にかけるようになり、かかる人に手指消毒がなされる場での停止、及び手指消毒の励行を喚起し、手指消毒を積極的に実施させることができる。
【００１６】
本考案の請求項４に係る手指衛生励行セットは、掲示媒体及び／またはマットに、蛍光処理、蓄光処理、または夜光処理を施しているので、夜間も含めて、手洗い場や手指消毒がなされる場といった手指衛生場の前を通過する人にさらなる注意を喚起することができる。
【００１７】
本考案の請求項５に係る手指衛生励行セットは、掲示媒体に、停止を促すメッセージが表示されているので、マットに表示される停止を促すメッセージと併せて、手洗い場や手指消毒がなされる場といった手指衛生場を通った人に対して、停止を促す効果を向上させることができる。
【００１８】
本考案の請求項６に係る手指衛生励行セットは、掲示媒体及びマットに同じ意味合いのメッセージが示されているので、２つの媒体によるメッセージが手洗い場を通った人に対して関連づけて認識され、手洗いや手指消毒励行効果及び停止を促す効果をさらに向上させることができる。
【考案を実施するための最良の形態】
【００１９】
［第１実施形態］
以下、本考案の第１実施形態を図面に基づいて説明する。
【００２０】
（Ｉ）本考案の手指衛生励行セット１の構成：
図１ないし図３を用いて、本考案の手指衛生励行セットの一態様の構成を説明する。図１は、本考案の第１実施形態に係る手指衛生励行セットを構成する掲示媒体の正面図、図２は、本考案の第１実施形態に係る手指衛生励行セットを構成するマットの正面図、図３は、本考案の第１実施形態に係る手指衛生励行セットを手洗い場に設置した状態を示した概略図である。ここで、１は手指衛生励行セット、２は掲示媒体、３はマット、５は手洗い場、をそれぞれ示す。
【００２１】
図１は、本考案の第１実施形態に係る手指衛生励行セット１を構成する掲示媒体２の正面図である。シート状の掲示媒体２は、例えば、手洗い場の壁面等に載置されるものであり、図１に示すように、本実施形態にあっては、形状を縦長の矩形状として、「あなたの手はきれいですか？」、「手洗いを忘れずに」と、手洗いを励行するメッセージが表示されるとともに、「止まって！」と、停止を促すメッセージが表示されている。また、かかる掲示媒体２には、これらのメッセージと併せて、水石けんを手指に出して手指を洗おうとするイラストも表示されていて、手洗いの励行効果をさらに高めている。なお、シート状の掲示媒体２は、図１では縦長の矩形状の態様を示しているが、横長の矩形状や正方形状等、形状は任意に決定することができる。
【００２２】
シート状の掲示媒体２のサイズは、特に制限はないが、例えば、縦が２０〜５０ｃｍ、横が２０〜５０ｃｍ程度であればよい。なお、掲示媒体２は、汎用性を考慮すれば、Ａ３〜Ａ５サイズ、Ｂ４〜Ｂ６サイズといった規格サイズを用いてもよい。
【００２３】
掲示媒体２は、紙、合成樹脂によるシート等、その材質には特に制限はないが、手洗い場等の壁面に載置されることを考えれば、表面を撥水処理ないし防水処理されていることが好ましい。また、掲示媒体２は、壁面等に載置する際の作業性を考慮して、壁面に接する面に粘着処理を施してもよい。そして、流通時にはかかる粘着処理を施した面に図示しない保護フィルムを被着させ、載置時に保護フィルムを剥がして壁面に載置するようにすれば、掲示媒体２は壁面に容易に固定される。
【００２４】
図２は、本考案の第１実施形態に係る手指衛生励行セット１を構成するマット３の正面図である。マット３は、例えば、手洗い場の床面等に載置されるものであり、図２に示すように、「ＳＴＯＰ！」と、停止を促すメッセージが表示されている。また、かかるマット３には、靴の底型のイラストも表示されており、停止を促す効果をさらに高めている。
【００２５】
マット３のサイズは、特に制限はないが、例えば、縦が２０〜５０ｃｍ、横が２０〜５０ｃｍ程度であればよい。
【００２６】
マット３は、合成樹脂からなるシート（積層シート含む）、織物、いわゆるカーペット地等、通常の床用マットに適用される材料を使用すればよいが、手洗い等の際に床面にこぼれる水滴を吸収し、乾燥することができるよう、吸水性や速乾性が良好な材料を使用するようにしてもよい。また、マット３は、前記した掲示媒体２と同様、床面等に載置される際の作業性を考慮して、床面に接する面に粘着処理を施してもよい。そして、流通時にはかかる粘着処理を施した面に図示しない保護フィルムを被着させ、載置時に保護フィルムを剥がして床面に載置するようにすれば、マット３は床面に容易に固定される。
【００２７】
本考案の手指衛生励行セット１を構成する掲示媒体２やマット３は、蛍光処理、蓄光処理、夜光処理を施すことが好ましい。かかる処理を施せば、夜間も含めて、手洗い場の前を通過する人にさらなる注意を喚起することができる。掲示媒体２やマット３にかかる処理を施す手段は、特に制限はなく、従来公知の蛍光塗料、蓄光塗料、夜光塗料を掲示媒体２やマット３の表面に塗布する等を行うようにすればよい。なお、蛍光処理等は、掲示媒体２及びマット３の一方に施すようにしてもよいが、掲示媒体２及びマット３の両方に施すようにすれば、注意を喚起する効果を最大限に発揮することができる。
【００２８】
また、掲示媒体２やマット３に表示されるメッセージは、手洗い場の前を通過する人の注意を喚起すべく、赤字で示される部分を含むことが好ましい。図１及び図２のように、掲示媒体２及びマット３の表示について、文字によるメッセージとイラストを併用する場合にあっては、文字部分を赤字で、イラスト部分を赤字でない色で彩色すれば、メッセージの部分が強調され、手洗い場の前を通る人に対してさらなる注意を喚起することができる。
【００２９】
図３は、本考案の第１実施形態に係る手指衛生励行セット１を手指衛生がなされる場（手指衛生場）である手洗い場５に設置した状態を示した概略図である。図３に示したように、掲示媒体２は、手洗い場５の壁面に載置され（図３では、３枚の掲示媒体２を載置した例を示している。）、マット３は、手洗い場５の床面に載置される（図３では、４枚のマット３を載置した例を示している。）。
【００３０】
以上説明したように、第１実施形態の手指衛生励行セット１は、手洗いを励行するメッセージを表示するシート状の掲示媒体２と、停止を促すメッセージを表示するマット３からなり、手指衛生励行セット１を設置した手洗い場５を通った人は、手洗いすることを気にかけるようになり、かかる人に手洗い場での停止、及び手洗いの励行を喚起し、手洗いないし手指衛生を積極的に実施させることができる。
【００３１】
［第２実施形態］
前記した第１実施形態では、掲示媒体２として、「あなたの手はきれいですか？」、「手洗いを忘れずに」と、手洗いを励行するメッセージが表示され、手洗い場５に設置される手指衛生励行セット１の一態様を示したが、これには限定されず、掲示媒体として図４に示す掲示媒体２ｂを用いて、これを図２に示すマット３と組み合わせて、手指消毒がなされる場に載置するようにしてもよい。
なお、以下の説明では、前記第１実施形態と同様の構造及び同一部材には同一符号を付して、その詳細な説明は省略または簡略化する。
【００３２】
図４は、本考案の手指衛生励行セット１を構成する掲示媒体の別の態様を示した正面図である。図４に示したシート状の掲示媒体２ｂは、例えば、病院等の医療施設や療養施設、病院の入口、病室の入口等、流水による手洗い場のない、手指消毒がなされる場の壁面等に載置されるものであり、本実施形態にあっては、形状を縦長の矩形状として、「あなたの手はきれいですか？」、「手指消毒を忘れずに」と、手指消毒を励行するメッセージが表示されるとともに、「止まって！」と、停止を促すメッセージが表示されている。また、かかる掲示媒体２ｂには、これらのメッセージと併せて、アルコール等の消毒液を手指に出して手指を消毒しようとするイラストも表示されていて、手指消毒の励行効果をさらに高めている。なお、本実施形態にあっては、マット３は、図２に示した、第１実施形態と同様のマット３を使用することができる。
【００３３】
図５は、本考案の第２実施形態に係る手指衛生励行セット１を手指衛生場である手指消毒がなされる場６に設置した状態を示した概略図である。図５に示したように、掲示媒体２ｂは、手指消毒がなされる場６の壁面に載置され（図５では、１枚の掲示媒体２ｂを載置した例を示している。）、マット３は、手指消毒がなされる場６の床面に載置される（図６では、２枚のマット３を載置した例を示している。）。
【００３４】
第２実施形態の手指衛生励行セット１は、手指消毒を励行するメッセージを表示するシート状の掲示媒体２ｂと、停止を促すメッセージを表示するマット３からなり、手指衛生励行セット１を設置した手指消毒がなされる場６を通った人は、アルコール等による手指の消毒を行うことを気にかけるようになり、かかる人に手指消毒がなされる場での停止、及び手指消毒の励行を喚起し、手指消毒ないしは手指衛生を積極的に実施させることができる。
【００３５】
［実施形態の変形］
なお、以上説明した態様は、本考案の一態様を示したものであって、本考案は、前記し
た実施形態に限定されるものではなく、本考案の構成を備え、目的及び効果を達成できる
範囲内での変形や改良が、本考案の内容に含まれるものであることはいうまでもない。ま
た、本考案を実施する際における具体的な構造及び形状等は、本考案の目的及び効果を達
成できる範囲内において、他の構造や形状等としても問題はない。本考案は前記した各実
施形態に限定されるものではなく、本考案の目的を達成できる範囲での変形や改良は、本
考案に含まれるものである。
【００３６】
例えば、前記した実施形態では、手指衛生励行セット１を構成するマット３には、図２に示すように、「ＳＴＯＰ！」という停止を促すメッセージと、靴の底型のイラストが表示されている態様を示したが、これには限定されず、例えば、下記の図６に示す構成のマット３ｂを採用してもよい。
なお、以下の説明では、前記した実施形態と同様の構造及び同一部材には同一符号を付して、その詳細な説明は省略または簡略化する。
【００３７】
図６は、本考案の手指衛生励行セット１を構成するマットの別の態様を示した正面図である。図６に示すマット３ｂは、「止まって！」と、停止を促すメッセージとともに、「あなたの手はきれいですか？手洗いを忘れずに」と、手洗いを励行するメッセージが表示され、図１に示した掲示媒体２と同じ意味合いのメッセージが示されている。組み合わされて使用される掲示媒体２とマット３ｂに同じ意味合いのメッセージが表示されることにより、掲示媒体２及びマット３ｂによるメッセージが手洗い場を通った人に対して関連づけて認識され、手洗い励行効果及び停止を促す効果をさらに向上させることができる。
【００３８】
なお、図７は、本考案の手指衛生励行セット１を構成するマットのもう一つの態様を示した正面図である。第２実施形態に関して、マットは、図７に示すマット３ｃのように、「止まって！」と停止を促すメッセージとともに、「あなたの手はきれいですか？手指消毒を忘れずに」と、手指消毒を励行するメッセージを表示し、図４に示した掲示媒体２ｂと同じ意味合いのメッセージが示されるようしてもよい。このようにすれば、組み合わされて使用される掲示媒体２ｂとマット３ｃに同じ意味合いのメッセージが表示されることにより、掲示媒体２ｂ及びマット３ｃによるメッセージが手指消毒がなされる場を通った人に対して関連づけて認識され、手指消毒の励行効果及び停止を促す効果をさらに向上させることができる。
【００３９】
また、前記した実施形態では、掲示媒体２，２ｂに表示されるメッセージを、「あなたの手はきれいですか？」、「手洗いを忘れずに」、「手指消毒を忘れずに」とした態様を例として挙げたが、掲示媒体における表示内容はこれらと完全に同一である必要はなく、手洗いや手指消毒といった手指衛生を励行するメッセージを表示するものであればその内容は特に限定されない。同様に、前記した第１実施形態では、マット３に表示されるメッセージを、「ＳＴＯＰ！」とした態様を例として挙げたが、図６及び図７に示すように、「止まって！」等、停止を促すメッセージを表示するものであればその内容は特に限定されない。なお、掲示媒体２，２ｂ及びマット３，３ｂ，３ｃにはそれぞれ手指衛生励行効果及び停止を促す効果をさらに高めるイラストを記載した例を示したが、イラストの内容はこれらには限定されず、また、イラストは記載しなくても構わない。
その他、本考案の実施の際の具体的な構造及び形状等は、本考案の目的を達成できる範
囲で他の構造等としてもよい。
【産業上の利用可能性】
【００４０】
本考案は、例えば、病院、学校、老人ホームや、医療施設、療養施設、食品加工施設等の手洗い場や手指衛生がなされる場に設置され、手洗い場等を通過する人に簡便かつ平易な手段で手指衛生を励行する手指衛生励行セットとして有利に使用することができる。
【図面の簡単な説明】
【００４１】
【図１】本考案の第１実施形態に係る手指衛生励行セットを構成する掲示媒体の正面図である
【図２】本考案の第１実施形態に係る手指衛生励行セットを構成するマットの正面図である。
【図３】本考案の第１実施形態に係る手指衛生励行セットを手洗い場に設置した状態を示した概略図である。
【図４】本考案の手指衛生励行セットを構成する掲示媒体の別の態様を示した正面図である。
【図５】本考案の第２実施形態に係る手指衛生励行セットを手指消毒がなされる場に設置した状態を示した概略図である。
【図６】本考案の手指衛生励行セットを構成するマットの別の態様を示した正面図である。
【図７】本考案の手指衛生励行セットを構成するマットのもう一つの態様を示した正面図である。
【符号の説明】
【００４２】
１    手指衛生励行セット
２，２ｂ    掲示媒体
３，３ｂ，３ｃ    マット
５    手洗い場（手指衛生場）
６    手指消毒がなされる場（手指衛生場）
【図１】
0003138542.tif 000003
【図２】
0003138542.tif 000004
【図３】
0003138542.tif 000005
【図４】
0003138542.tif 000006
【図５】
0003138542.tif 000007
【図６】
0003138542.tif 000008
【図７】
0003138542.tif 000009